(57)【要約】【課題】ユーザのジェスチャを認識して所定の処理を行うジェスチャ認識装置に対して、ユーザの一通りのジェスチャに対応して、複数の所定の処理を認識させることを可能とするジェスチャ入力具を提供する。【解決手段】ユーザに保持される軸部と、軸部に接続され、対象物の一連の動きパターンを認識するジェスチャ認識装置から対象物として認識される目印部とを有し、軸部の軸方向に向きを変えることにより、目印部がジェスチャ認識装置から別の対象物として認識されるよう、ジェスチャ入力具を構成する。【選択図】図１
2010224852.tif 000002
【特許請求の範囲】
【請求項１】
ユーザに保持される軸部と、前記軸部に接続され、対象物の一連の動きパターンを認識するジェスチャ認識装置から対象物として認識される目印部とを有し、
前記軸部の軸方向に向きを変えることにより、前記目印部が前記ジェスチャ認識装置から別の対象物として認識されることを特徴とする、ジェスチャ入力具。
【請求項２】
ユーザに保持される軸部と、前記軸部に接続され、対象物の一連の動きパターンを認識するジェスチャ認識装置から対象物として認識される目印部とを有し、
前記目印部は、前記軸部の軸方向に直交する複数の方向から見たときに異なる形状、色ないし模様を有することを特徴とする、ジェスチャ入力具。
【請求項３】
前記目印部が、前記軸部の軸方向から見たときにさらに異なる形状、色ないし模様を有することを特徴とする、請求項２に記載のジェスチャ入力具。
【請求項４】
対象物の一連の動きパターンを認識するジェスチャ認識装置と、
ユーザに保持される軸部と、前記軸部に接続され、前記ジェスチャ認識装置から対象物として認識される目印部とを有し、前記軸部の軸方向に向きを変えることにより、前記目印部が前記ジェスチャ認識装置から別の対象物として認識されるジェスチャ入力具とから構成される、ジェスチャ入力システム。
【発明の詳細な説明】
【技術分野】
【０００１】
本発明は、ユーザの行う一連の動きパターンであるジェスチャを認識して所定の処理を行うジェスチャ認識装置に対してジェスチャ入力を行うためのジェスチャ入力具に関する。
【背景技術】
【０００２】
パーソナルコンピュータなどの情報処理装置に対してユーザが情報を与えるための入力装置としては、キーボード、マウス、タッチパッドなどが一般的に用いられる。例えばキーボードは、固定面に設置して両手で入力することを前提に作られているため、この前提を満たさない状況では、適切な使用は困難である。そこで、ユーザの様々な使用状況に対応するため、入力装置の多様化が求められている。
【０００３】
近年、パーソナルコンピュータや携帯電話にカメラが内蔵されるようになっており、カメラは入力装置としても使用することができる。例えば、所定色に点灯・消灯するペンライトをユーザが所持するようにし、カメラによってユーザを撮像し、点灯している間のペンライトの移動状態からジェスチャの種別を認識して対応する所定の処理を行うためのジェスチャ認識方法が、特許文献１に記載されている。
【先行技術文献】
【特許文献】
【０００４】
【特許文献１】特開平９−３１１７５９号公報
【発明の概要】
【発明が解決しようとする課題】
【０００５】
特許文献１に記載のジェスチャ認識方法では、認識可能な複数のジェスチャに対応する情報を入力することができる。しかし、簡潔な一連の動きで識別可能なジェスチャの数には制限があるため、ジェスチャ認識によってそれ以上の数の処理を行わせるときには、簡潔なジェスチャを複数組み合わせるなどして複雑なものにする必要がある。ジェスチャが複雑になると、入力を行うのに時間がかかる。また、ユーザはそれらを正確に記憶しておく必要があり、間違えやすくなるといった問題がある。
【０００６】
そこで、本発明は、ユーザのジェスチャを認識して所定の処理を行うジェスチャ認識装置に対して、ユーザの一通りのジェスチャに対応して、複数の所定の処理を認識させることを可能とするジェスチャ入力具を提供することを目的とする。
【課題を解決するための手段】
【０００７】
本発明の第１のジェスチャ入力具は、ユーザに保持される軸部と、軸部に接続され、対象物の一連の動きパターンを認識するジェスチャ認識装置から対象物として認識される目印部とを有し、軸部の軸方向に向きを変えることにより、目印部がジェスチャ認識装置から別の対象物として認識されることを特徴とする。
【０００８】
本発明の第２のジェスチャ入力具は、ユーザに保持される軸部と、軸部に接続され、対象物の一連の動きパターンを認識するジェスチャ認識装置から対象物として認識される目印部とを有し、目印部は、軸部の軸方向に直交する複数の方向から見たときに異なる形状、色ないし模様を有することを特徴とする。
【０００９】
本発明のジェスチャ入力システムは、対象物の一連の動きパターンを認識するジェスチャ認識装置と、ユーザに保持される軸部と、軸部に接続され、ジェスチャ認識装置から対象物として認識される目印部とを有し、軸部の軸方向に向きを変えることにより、目印部がジェスチャ認識装置から別の対象物として認識されるジェスチャ入力具とから構成される。
【発明の効果】
【００１０】
本発明によれば、ユーザのジェスチャを認識して所定の処理を行うジェスチャ認識装置に対して、ユーザの一通りのジェスチャに対応して、複数の所定の処理を認識させることを可能とするジェスチャ入力具を提供できる。
【図面の簡単な説明】
【００１１】
【図１】本実施形態を構成するジェスチャ入力具の構造を示す図である。
【図２】本実施形態を構成するジェスチャ入力具がジェスチャ認識装置に認識された状態を示す図である。
【図３】本実施形態を構成するジェスチャ入力具によりジェスチャ認識装置にジェスチャ入力される状態を示す図である。
【発明を実施するための形態】
【００１２】
以下、図面を参照して本発明を実施するための形態について詳細に説明する。本実施形態は、ジェスチャ認識装置に対してジェスチャ入力するときにユーザが使用するジェスチャ入力具である。
【００１３】
図１は、本実施形態を構成するジェスチャ入力具の構造を示す図であり、それぞれ（ａ）は正面図、（ｂ）は背面図、（ｃ）は側面図に対応する。図１を参照すると、ジェスチャ入力具１は、軸部２と、接続部３と、目印部４とを有する。
【００１４】
軸部２は、ジェスチャ入力具１をユーザが操作するときに保持され、棒状に構成される。軸部２の断面は、円形であっても多角形であっても、それ以外の形状であってもよい。軸部２は、プラスチックや金属、ないし、ゴムなどの所定の弾力を有する素材など、ユーザが手で保持しても一定の形状を維持する材質で構成することができる。
【００１５】
接続部３は、軸部２と目印部４とを接続する。接続部３は、軸部２と目印部４との間に所定の長さを有する、軸部２と同様の素材をもって構成することができる。接続部３と軸部２ないし目印部４とは、同一の素材である必要はない。また、軸部２の一端を凹状に、目印部４の一端を凸状に構成してこれらを嵌合させるようにしてもよい。さらに、軸部２と目印部４とを接着してもよく、この場合は接着剤の層が接続部を構成することになる。
【００１６】
目印部４は、ジェスチャ認識装置によるジェスチャ認識の目印となる部分である。目印部４は、軸部２の軸に直交する複数の方向から見たときに異なる形状、色ないし模様を有するように構成されている。本実施形態においては、正面から見たときに円形で白色（４ａ）、背面から見たときに円形で網目模様、ある側面から見たときに長方形で黒色となるよう構成されているが、これに限らない。また、軸方向から見たときに所定の形状と色を有するように構成してもよい。目印部４は、軸部２と同様の素材に表面を塗装することで構成可能であるが、これに限らない。
【００１７】
なお、ジェスチャ入力具１は、ジェスチャ認識装置へのジェスチャ入力の他、タッチパッドへの入力に使用できるよう構成してもよい。
【００１８】
次に、図２および図３を参照して、本実施形態を構成するジェスチャ入力具によるジェスチャ入力について説明する。図２は、本実施形態を構成するジェスチャ入力具がジェスチャ認識装置に認識された状態を示す図である。図２を参照すると、ジェスチャ認識装置５のカメラ６の撮像範囲にジェスチャ入力具１が配置されている。ジェスチャ入力具１は目印部４の背面４ｂをカメラ６に向けて配置されており、ジェスチャ認識装置５は目印部４の背面４ｂを目印として認識している。
【００１９】
図３は、本実施形態を構成するジェスチャ入力具によりジェスチャ認識装置にジェスチャ入力される状態を示す図である。図３を参照すると、ジェスチャ入力具１は、ジェスチャ認識装置５のカメラ６に対し、目印部４の背面４ｂを向けた状態で右方向に動かされている。ジェスチャ認識装置５は、目印部４の背面４ｂの右方向への移動を認識し、これに対応する処理「Alt+→」を行う。対応する処理はこれに限らず任意に設定可能である。また、目印部４の別の面を向けた状態で同じジェスチャを行ったときには、これと別の処理を行うよう設定することができる。
【００２０】
以上のように構成することで、ユーザのジェスチャを認識して所定の処理を行うジェスチャ認識装置に対して、ユーザの一通りのジェスチャに対応して、複数の所定の処理を認識させることができる。
【符号の説明】
【００２１】
１  ジェスチャ入力具
２  軸部
３  接続部
４  目印部
５  ジェスチャ認識装置
６  カメラ
【図１】
2010224852.tif 000003
【図２】
2010224852.tif 000004
【図３】
2010224852.tif 000005